(57)【要約】  平ベルト部と、前記平ベルト部のプーリ側の面に長手方向に沿って突設されたガイド部とで構成され、前記平ベルト部およびガイド部が弾性材料で一体に成形されているガイド付搬送ベルトであり、これにより、前記ガイド部が平ベルト部から剥離することがなく、長期にわたり高い走行安定性および搬送能力が得られる。前記平ベルト部の内部には、芯線または布が埋設されているのが好ましく、前記ガイド部の底部に長手方向に沿って縦溝が設けられているのがよい。【特許請求の範囲】
【請求項１】
平ベルト部と、前記平ベルト部のプーリ側の面に長手方向に沿って突設されたガイド部とで構成され、前記平ベルト部およびガイド部が弾性材料で一体に成形されているガイド付搬送ベルト。
【請求項２】
前記平ベルト部の内部に芯線または布が埋設されている請求項１記載のガイド付搬送ベルト。
【請求項３】
前記ガイド部の底部に長手方向に沿って縦溝が設けられている請求項１または２記載のガイド付搬送ベルト。
【請求項４】
両端部を接合したエンドレス状である請求項１〜３のいずれかに記載のガイド付搬送ベルト。
【請求項５】
ポリウレタン、ポリ塩化ビニル、ポリエステル系エラストマー、ポリアミド系エラストマーまたはポリオレフィン系エラストマーから選ばれた１種または２種以上から成形される請求項１〜４のいずれかに記載のガイド付搬送ベルト。
【発明の詳細な説明】
【技術分野】
【０００１】
本発明は、紙葉類等の搬送装置に使用されるガイド付搬送ベルトに関する。
【背景技術】
【０００２】
一般に、紙葉類（例えば印刷用の紙）等を搬送する搬送装置に使用される搬送ベルトは、搬送面が平面である平ベルトが使用される。平ベルトは、搬送物との接触が面接触であるので、搬送物を安定して搬送することができるが、走行中に蛇行してプーリから外れるという問題がある。そこで、平ベルトに蛇行防止のためのガイドを設けたガイド付搬送ベルトが知られている。【０００３】
図４は、従来のガイド付搬送ベルトとプーリとを組み合わせた状態を示す概略断面図である。図４に示すように、このガイド付搬送ベルト３１は、平ベルト部３２と、平ベルト部３２のプーリ３４側の面に長手方向に沿って突設したガイド部３３とで構成されている。そして、搬送ベルト３１は、ガイド部３３を、プーリ３４のガイド溝３５に嵌合させた状態で走行させるので、搬送ベルト３１の蛇行が防止される。【０００４】
しかしながら、ガイド部３３は、接着剤や熱融着により平ベルト部３２と接合されることが多い。このため、接着・熱融着不良や、ねじれ等の偏った荷重がベルトに掛かった場合には、ガイド部３３が平ベルト部３２から剥離するという問題がある。ガイド部３３が平ベルト部３２から剥離すると、ベルト３１の走行が不安定になり、搬送能力が低下するので好ましくない。【０００５】
特許文献１には、所定の表皮層を有したガイドが、この表皮層を介してベルト本体と接着されているガイド付搬送ベルトが記載されている。この文献によると、ガイド部がベルト本体（平ベルト部）から簡単に剥離することがないと記載されている。しかしながら、接着が十分でなかった場合や、ねじれ等の偏った荷重がベルトに掛かった場合には、ガイド部が平ベルト部から剥離するおそれがある。
【特許文献１】特開２００３−１２１３３号公報
【発明の開示】
【発明が解決しようとする課題】
【０００６】
本発明の課題は、長期にわたり高い走行安定性および搬送能力を有するガイド付搬送ベルトを提供することである。
【課題を解決するための手段】
【０００７】
本発明者らは、上記課題を解決すべく鋭意検討を重ねた結果、平ベルト部とガイド部とで構成されるガイド付搬送ベルトにおいて、平ベルト部およびガイド部が弾性材料で一体に成形されている場合には、ガイド部が平ベルト部から剥離することがないので、長期にわたり高い走行安定性および搬送能力が得られるという新たな知見を見出し、本発明を完成するに至った。【０００８】
すなわち、本発明におけるガイド付搬送ベルトは、以下の構成からなる。
（１）平ベルト部と、前記平ベルト部のプーリ側の面に長手方向に沿って突設されたガイド部とで構成され、前記平ベルト部およびガイド部が弾性材料で一体に成形されているガイド付搬送ベルト。
（２）前記平ベルト部の内部に芯線または布が埋設されている前記（１）記載のガイド付搬送ベルト。
（３）前記ガイド部の底部に長手方向に沿って縦溝が設けられている前記（１）または（２）記載のガイド付搬送ベルト。
（４）両端部を接合したエンドレス状である前記（１）〜（３）のいずれかに記載のガイド付搬送ベルト。
（５）ポリウレタン、ポリ塩化ビニル、ポリエステル系エラストマー、ポリアミド系エラストマーまたはポリオレフィン系エラストマーから選ばれた１種または２種以上から成形される前記（１）〜（４）のいずれかに記載のガイド付搬送ベルト。
【発明の効果】
【０００９】
本発明のガイド付搬送ベルトによれば、平ベルト部およびガイド部が弾性材料で一体に成形されているので、前記ガイド部が平ベルト部から剥離することがなく、長期にわたり高い走行安定性および搬送能力が得られるという効果がある。
【発明を実施するための最良の形態】
【００１０】
以下、本発明にかかるガイド付搬送ベルトについて、図面を参照して詳細に説明する。図１は、本発明におけるガイド付搬送ベルトの一例を示す破断斜視図であり、図２は、この搬送ベルトとプーリとを組み合わせた状態を示す概略断面図である。図１，図２に示すように、このガイド付搬送ベルト１は、平ベルト部２と、前記平ベルト部２のプーリ１０側の面に長手方向に沿って突設されたガイド部３とで構成されている。そして、平ベルト部２およびガイド部３は弾性材料で一体に成形されており、ガイド部３はプーリ１０のガイド溝１１に嵌合されている。この状態で搬送ベルト１を走行させるので、ガイド部３が平ベルト部２から剥離することがなく、搬送ベルト１は、長期にわたり高い走行安定性および搬送能力を示すことができる。【００１１】
平ベルト部２の内部には、搬送ベルト１の長手方向に沿って、複数の芯線４が埋設されている。これにより、ベルト１の長手方向における剛性を高めることができる。芯線４の材料としては、芯線として使用することができる各種の公知のものを用いることができ、例えば金属線、ポリエステルコード、ポリアミドコード、ガラスコード、アラミド、レーヨンなどを糸状や繊維状などの形状にしたものが挙げられる。また、芯線４の本数は、特に限定されるものではなく、必要な搬送力に合わせて任意に選定すればよい。【００１２】
搬送ベルト１の長手方向に揃えられた芯線４は、平ベルト部２の内部に、ベルト１の幅方向にわたって均等に埋設してもよく、中央部分または両側縁部分のいずれかが密になるように埋設してもよい。なお、芯線４の形状は、特に限定されるものではなく、上記したアラミドなどをシート状（織布）や編組状にした布であってもよい。【００１３】
ガイド部３の形状は、ベルト１の蛇行を防止するガイドとしての機能を有するものであれば特に限定されるものではなく、例えば、その断面形状が台形、矩形、半円形、Ｖ型、Ｕ型等が挙げられる。また、ガイド部３の底部には、ベルト１の長手方向に沿って、縦溝５が設けられている。これにより、ガイド部３に柔軟性を付与することができると共に、ガイド部３を構成する材料を減らすことができるので、コストダウンを図ることができる。縦溝５の形状としては、例えば半円形、Ｖ字形、矩形等が好適に採用できる。【００１４】
ガイド部３は、図１，図２に示すように、平ベルト部２におけるプーリ１０側の面の略中央部に長手方向に沿って１つ突設されているが、ガイド部３を突設させる位置および個数は、平ベルト部の幅や組み合わせるプーリによって任意に選択することができ、図１，図２に限定されるものではない。例えば、平ベルト部の幅が広い場合には、この平ベルト部に複数のガイド部を突設させてもよい。この場合には、平ベルト部の両端部に各々少なくとも１づつガイド部を突設させるのが好ましい。また、平ベルト部の略中央部に複数のガイド部を隣接させてもよい。【００１５】
平ベルト部２およびガイド部３を構成する前記弾性材料としては、搬送ベルトとして使用することができる各種の公知の弾性材料を使用することができ、例えばゴム、合成樹脂、熱可塑性エラストマーなどの１種または２種以上を用いることができる。前記ゴムとしては、例えば天然ゴム、イソプレンゴム、ブタジエンゴム、スチレンブタジエンゴム、エチレンプロピレンゴム、クロロプレンゴム、塩素化ポリエチレン、エピクロルヒドリンゴム、ニトリルゴム、アクリルゴム、ウレタンゴム、Ｈ−ＮＢＲ（水素添加ニトリルブタジエンゴム）等が挙げられる。前記合成樹脂としては、例えばポリウレタン、ポリ塩化ビニル、ポリカーボネート、ポリエステル、ポリアリレート、スチレン−ブタジエン共重合体、スチレン−アクリロニトリル共重合体、アクリル共重合体、スチレン−アクリル酸共重合体、ポリエチレン、エチレン−酢酸ビニル共重合体、塩素化ポリエチレン、ポリプロピレン、塩化ビニル−酢酸ビニル共重合体、アルキド樹脂、ポリアミド、ポリスルホン、ジアリルフタレート樹脂、ケトン樹脂、ポリビニルアセタール、ポリエーテル等が挙げられる。前記熱可塑性エラストマーとしては、例えばポリエステル系エラストマー、ポリアミド系エラストマー、ポリオレフィン系エラストマー等が挙げられる。【００１６】
本発明では、特に、ポリウレタン、ポリ塩化ビニル、ポリエステル系エラストマー、ポリアミド系エラストマーまたはポリオレフィン系エラストマーから選ばれた１種または２種以上から搬送ベルト１が成形されているのが好ましい。【００１７】
ガイド付搬送ベルト１は、両端部を接合したエンドレス状であるのが好ましい。これにより、搬送ベルト１をプーリ間に張設し、搬送物を搬送することができる。両端部の接合は、特に限定されるものではなく、例えば熱融着による接合、接着剤による接合が挙げられる。【００１８】
次に、本発明にかかるガイド付搬送ベルトを製造する一例について、図面を参照して詳細に説明する。図３は、本発明におけるガイド付搬送ベルトの製造方法の一例を示す概略説明図である。図３に示すように、ガイド付搬送ベルト製造装置２０は、プーリ２１ａ，２１ｂ，２１ｃと、プーリ２１ａ，２１ｃの間に配設されるガイド部成形用プーリ２２と、プーリ２１ａ，２１ｂ，２１ｃおよびプーリ２２を利用して張設されたベルト２３とから構成されている。【００１９】
ここで、プーリ２１ｂにより、不使用時にはベルト２３がプーリ２２に圧接し、溶融状態の弾性材料がプーリ２２とベルト２３との間に流し込まれた使用状態のときには、プーリ２２とベルト２３の間に弾性材料が挟まり、一定の距離（平ベルト部の厚みに相当する距離）が保たれるようにしてある。さらに、ガイド部成形用プーリ２２の略中央部には、ガイド付搬送ベルトのガイド部に対応する形状の溝部２９が、プーリ２２の周方向に沿って形成されている。【００２０】
そして、プーリ２１ａ，ガイド部成形用プーリ２２の間に芯線２４を連続して挿入しながら、注入ノズル３０から溶融状態の弾性材料２８を連続して流し込む。この状態で、ベルト２３，プーリ２２を矢印の方向に回転させることにより、プーリ２２が約半回転する間に弾性材料２８が冷却固化され、プーリ２１ｃ，プーリ２２の間から、芯線２４が内部に埋設された平ベルト部２５と、ガイド部２６とで構成されるガイド付搬送ベルト２７が製造される。【００２１】
本発明のガイド付搬送ベルトは、前記した製造方法に限定されるものではなく、例えば所定の形状に射出成形や押し出し成形をすることにより、平ベルト部およびガイド部を一体に成形したガイド付搬送ベルトを製造してもよい。【００２２】
本発明のガイド付搬送ベルトは、紙葉類（例えば印刷用の紙）等を２本のベルトで上下から挟み込んで搬送するプリンタや複写機等の搬送装置に使用され、これらの搬送物を確実に搬送することができる。また、本発明のガイド付搬送ベルトが使用される搬送装置は、上記搬送装置に限定されるものではなく、例えば金融機関で紙葉類（例えば紙幣など）などを搬送する搬送装置、薄い鋼板やダンボール等を搬送する搬送装置、精密機器、食品、遊戯機器、工作機等における搬送装置の搬送ベルトとしても使用することができる。さらに、駆動用として用いてもよい。
【図面の簡単な説明】
【００２３】
【図１】本発明におけるガイド付搬送ベルトの一例を示す破断斜視図である。
【図２】本発明におけるガイド付搬送ベルトとプーリとを組み合わせた状態を示す概略断面図である。
【図３】本発明におけるガイド付搬送ベルトの製造方法の一例を示す概略説明図である。
【図４】従来のガイド付搬送ベルトとプーリとを組み合わせた状態を示す概略断面図である。
【符号の説明】
【００２４】
１・・・ガイド付搬送ベルト
２・・・平ベルト部
３・・・ガイド部
４・・・芯線
５・・・縦溝
１０・・・プーリ
【図１】
2006087800.tif 000002
【図２】
2006087800.tif 000003
【図３】
2006087800.tif 000004
【図４】
2006087800.tif 000005
【手続補正書】
【提出日】平成18年1月3日(2006.1.3)
【手続補正１】
【補正対象書類名】特許請求の範囲
【補正対象項目名】請求の範囲
【補正方法】変更
【補正の内容】
【書類名】請求の範囲
【請求項１】  （補正後）平ベルト部と、前記平ベルト部のプーリ側の面に長手方向に沿って突設されたガイド部とで構成され、前記平ベルト部およびガイド部が弾性材料で一体に成形されていると共に、前記平ベルト部の内部に芯線または布が埋設されているガイド付搬送ベルト。
【請求項２】  （補正後）平ベルト部と、前記平ベルト部のプーリ側の面に長手方向に沿って突設されたガイド部とで構成され、
周面にガイド部成形用の溝部が形成されたプーリと、このプーリの外周面側に配置されたベルトとの間に溶融した弾性材料を連続して流し込み、かつ前記プーリおよびベルトを同方向に回転させて、前記平ベルト部およびガイド部を弾性材料で一体にかつ連続的に成形するようにしたガイド付搬送ベルト。
【請求項３】  （補正後）平ベルト部と、前記平ベルト部のプーリ側の面に長手方向に沿って突設されたガイド部とで構成され、
周面にガイド部成形用の溝部が形成されたプーリと、このプーリの外周面側に配置されたベルトとの間に、芯線または布を連続して挿入しながら、溶融した弾性材料を連続して流し込み、かつ前記プーリおよびベルトを同方向に回転させて、内部に芯線または布が埋設された前記平ベルト部およびガイド部を弾性材料で一体にかつ連続的に成形するようにしたガイド付搬送ベルト。
【請求項４】  （補正後）前記ガイド部の底部に長手方向に沿って縦溝が設けられている請求項１〜３のいずれかに記載のガイド付搬送ベルト。
【請求項５】  （補正後）両端部を接合したエンドレス状である請求項１〜３のいずれかに記載のガイド付搬送ベルト。
【請求項６】  （追加）ポリウレタン、ポリ塩化ビニル、ポリエステル系エラストマー、ポリアミド系エラストマーまたはポリオレフィン系エラストマーから選ばれた１種または２種以上から成形される請求項１〜３のいずれかに記載のガイド付搬送ベルト。
８
【国際調査報告】
2006087800.tif 000006
2006087800.tif 000007